(57)【特許請求の範囲】
【請求項１】
枠部及び該枠部の開放部を閉塞する蓋板を有する箱形をなし、内部に複数のランプが並置されるシャーシを備える光源装置において、前記蓋板は、厚さ方向へ貫通し、回路基板により閉塞される貫通孔を有することを特徴とする光源装置。
【請求項２】
前記貫通孔を閉塞している回路基板を有する請求項１記載の光源装置。
【請求項３】
前記蓋板は、前記貫通孔内へ延出され、前記貫通孔が貫通する方向へ偏倚している複数の取付片を有し、該取付片に前記回路基板を取付けてある請求項２記載の光源装置。
【請求項４】
前記回路基板は前記シャーシ内に臨む一面に電子部品が実装されている請求項２又は３記載の光源装置。
【請求項５】
前記シャーシ内に臨む前記回路基板の一面における前記ランプ同士の間に電子部品を配してある請求項２又は３記載の光源装置。
【請求項６】
前記回路基板は前記シャーシ内に臨む一面及び他面に電子部品が実装されており、前記一面の電子部品は前記ランプ同士の間に配してある請求項２又は３記載の光源装置。
【請求項７】
前記ランプは前記回路基板が接続される電極を有し、前記回路基板の前記一面は前記電極が直接接続される端子を有する請求項５又は６記載の光源装置。
【発明の詳細な説明】
【技術分野】
【０００１】
本発明は液晶表示装置等の表示装置の光源として使用される光源装置に関する。
【背景技術】
【０００２】
テレビジョン等の表示装置は、画像を表示する画像表示面を前側に有する表示部の後側に光源装置が配されている。
【０００３】
光源装置は、例えば両端部に電極を有する複数本のランプと、内部に前記ランプが並置されるシャーシと、該シャーシの外部で、前記ランプの長手方向となる側方に並置されるインバータ回路基板とを備え、前後厚さの寸法を短くすることができるように構成されている（例えば、特許文献１参照。）。
【０００４】
また、液晶パネルの裏側にバックライトを配してなる液晶表示ユニットの側方にインバータ回路基板を配置することにより前後厚さの寸法を短くすることができるように構成されている液晶表示装置も知られている（例えば、特許文献２参照。）。
【０００５】
また、表示パネルの裏側にバックライトを配してなる表示モジュールの裏面に複数の筒部を立設し、該筒部の先端に回路基板を取付けてある表示装置も知られている（例えば、特許文献３参照。）。
【０００６】
図３は特許文献３と同様に構成されている従来の表示装置に組込まれている光源装置の構成を示す部分断面図である。この光源装置は内部にランプ１００が並置されている鉄板製のシャーシ１０１に、複数の電子部品が実装されているインバータ回路基板１０２が取付けられている。このように鉄板等の金属板により形成されている部材にインバータ回路基板１０２が取付けられる光源装置などの電気機器は、安全規格ＩＥＣ６００６５（国際電気標準会議の安全規格）により、インバータ回路基板１０２を離隔して取付け、インバータ回路基板１０２と前記金属製部材（シャーシ）との間に強化絶縁距離を確保することが要求されている。因って、シャーシ１０１に筒部１０３を立設し、該筒部１０３の先端にインバータ回路基板１０２を取付けることにより強化絶縁距離Ｈが確保されている。
【特許文献１】特開平２−３０４５２９号公報
【特許文献２】特開２００５−２７７６３５号公報
【特許文献３】特開２００６−３３７９７８号公報
【発明の開示】
【発明が解決しようとする課題】
【０００７】
ところが、内部にランプが並置されるシャーシの側方にインバータ回路基板を配することにより薄型化を図るように構成された特許文献１、及び液晶表示ユニットの側方にインバータ回路基板を配することにより薄型化を図るように構成された特許文献２にあっては、薄型化を図ることができる代わりに、表示面周りの額縁が大型となり、光源装置全体の小型化に支障を来す。
【０００８】
また、表示モジュールの裏面に回路基板が取付けられるように構成された特許文献３にあっては、上記安全規格による強化絶縁距離が厚さ短縮の障害となる。
【０００９】
本発明は斯かる事情に鑑みてなされたものであり、その主たる目的は内部にランプが並置されるシャーシの周縁部より内側に、回路基板により閉塞される貫通孔を設け、シャーシの一部を回路基板が兼ねる構成とすることにより、上記安全規格による強化絶縁距離をなくすることができ、光源装置の厚さを短縮することができるようにした。
【課題を解決するための手段】
【００１０】
本発明に係る光源装置は、枠部及び該枠部の開放部を閉塞する蓋板を有する箱形をなし、内部に複数のランプが並置されるシャーシを備える光源装置において、前記蓋板は、厚さ方向へ貫通し、回路基板により閉塞される貫通孔を有することを特徴とする。
この発明にあっては、シャーシにおける蓋板の貫通孔に回路基板が取付けられることにより、該回路基板がシャーシの一部を兼ねるため、上記安全規格にとらわれることなく厚さを短縮することができ、また、光源装置が用いられる表示装置の狭額縁を保つことができる。
【００１１】
また、本発明に係る光源装置は、前記貫通孔を閉塞している回路基板を有する構成とするのが好ましい。
この発明にあっては、シャーシの貫通孔に取付けられている回路基板がシャーシの一部を兼ねているため、上記安全規格にとらわれることなく厚さを短縮することができ、また、光源装置が用いられる表示装置の狭額縁を保つことができる。
【００１２】
本発明に係る光源装置は、前記回路基板は前記シャーシ内に臨む一面に電子部品が実装されている構成とするのが好ましい。
【００１３】
また、本発明に係る光源装置は、前記蓋板は、前記貫通孔内へ延出され、前記貫通孔が貫通する方向へ偏倚している複数の取付片を有し、該取付片に前記回路基板を取付けてある構成とするのが好ましい。
この発明にあっては、シャーシの内部における回路基板回りの段差を低減できる。因って、シャーシの内側に反射シートが配される場合、反射シートに皺が生ずるのを防ぐことができる。
【００１４】
また、本発明に係る光源装置は、前記シャーシ内に臨む前記回路基板の一面における前記ランプ同士の間に電子部品を配してある構成とするのが好ましい。
この発明にあっては、回路基板に実装されている電子部品の比較的高さが高い部品をシャーシ内のランプ間に配することができるため、比較的高さが高い部品に制約されることなく、厚さを短縮することができる。
【００１５】
また、本発明に係る光源装置は、前記回路基板は前記シャーシ内に臨む一面及び他面に電子部品が実装されており、前記一面の電子部品は前記ランプ同士の間に配してある構成とするのが好ましい。
この発明にあっては、回路基板に実装されている電子部品の比較的高さが高い部品をシャーシ内のランプ間に配し、比較的高さが低い部品をシャーシ外に配することができるため、電子部品の個数が比較的多い回路基板であっても比較的高さが高い部品に制約されることなく、厚さを短縮することができる。
【００１６】
また、本発明に係る光源装置は、前記ランプは前記回路基板が接続される電極を有し、前記回路基板の前記一面は前記電極が直接接続される端子を有する構成とするのが好ましい。
この発明にあっては、シャーシの内側でランプの電極が回路基板の端子に直接接続されるため、ランプの回路基板との接続系統を簡素にでき、組立作業性を向上でき、コストを低減できる。
【発明の効果】
【００１７】
本発明によれば、シャーシの貫通孔に取付けられる回路基板がシャーシの一部を兼ねるため、上記安全規格による強化絶縁距離をなくすることができ、光源装置の厚さを短縮することができる。
【発明を実施するための最良の形態】
【００１８】
以下本発明をその実施の形態を示す図面に基づいて詳述する。
図１は表示装置に組込まれている本発明に係る光源装置の構成を示す部分断面図、図２は本発明に係る光源装置の構成を示す分解斜視図である。
【００１９】
図示した光源装置は、前側に表示面を有し、略直方体をなす表示部を備える薄型の表示装置における前記表示部の後側に装着されるもので、枠部１及び蓋板２を有し、前側が開放されている箱形をなすシャーシＡと、直管形をなし、シャーシＡ内に上下に離隔して並置される複数本のランプ３と、該ランプ３の両端部を枠部１の内側に保持するランプホルダ４，４と、ランプ夫々の電極に接続されている二つのインバータ回路基板５，５と、シャーシＡ内に配置され、ランプ３の放射光をシャーシＡの開放部側に反射させる反射シート６とを備える。
【００２０】
ランプ３は両端部に電極を有する冷陰極管であり、ランプ３夫々の電極にインバータ回路基板５，５が接続され、パルス幅変調信号により明るさが制御されるように構成されている。
【００２１】
インバータ回路基板５，５はランプ３夫々を駆動するもので、長方形をなし、比較的高さが高い電子部品５１と、ランプ夫々の電極に対応する複数の端子５２とがシャーシ内に臨む一面に実装されており、他面に比較的高さが低い複数の電子部品５３が実装されている。比較的高さが高い電子部品５１は、隣合うランプ３間に配されるように実装されており、また、シャーシＡ内の輝度を高めるべく白色に着色されている。また、インバータ回路基板５，５の角部には雄螺子挿通用の挿通孔５４が開設されている。
【００２２】
シャーシＡは直方体をなす枠部１と、周縁部が枠部１に結合され、該枠部１の後側端を閉塞する蓋板２とを有し、鉄板等の金属板をプレス成形してなる。蓋板２の長手方向両側には、インバータ回路基板５，５に対応する大きさの長方形の貫通孔２１，２１が設けられている。また、蓋板２には貫通孔２１，２１内へ延出され、貫通孔２１，２１が貫通する方向へ外向きに偏倚している複数の取付片２２，２２が設けられている。取付片２２，２２夫々には螺子孔２３，２３が開設されている。
【００２３】
ランプホルダ４，４は枠部１の両側壁と対向し、蓋板２側の一端縁にランプ３の並置間隔で凹部４１を有する保持板部４２と、該保持板部４２の他端縁から前記両側壁に向けて延出されているシート受板部４３とにより断面略Ｌ字形をなし、高反射性を有する合成樹脂材料により成形されおり、シャーシＡ内に取付けられている。
反射シート６は両側のランプホルダ間に配される大きさに形成されている。
【００２４】
以上のように構成された光源装置は、前側に液晶パネル等の表示部１０を有するテレビジョン等の表示装置Ｂに用いられる。光源装置は前記表示部１０の後側に配され、該光源装置のシャーシＡの後面に、前記表示部１０の駆動及び制御を行う制御回路基板、前記表示部１０に表示する映像を処理させる処理回路基板、該処理回路基板に電圧を供給する電圧回路基板等の回路基板が装着される。
【００２５】
光源装置の組立ては次のように行われる。シャーシＡ内に二つのインバータ回路基板５，５が挿入され、インバータ回路基板５，５夫々が貫通孔２１，２１内の取付片２２，２２に載置され、インバータ回路基板５，５の挿通孔５４に挿通される雄螺子７を取付片２２，２２の螺子孔２３に捩込まれることにより、インバータ回路基板５，５が貫通孔２１，２１を閉塞し、インバータ回路基板５，５が蓋板２の一部を兼ねる。この後、シャーシＡ内に反射シート６が挿入され、該反射シート６がインバータ回路基板５，５の幅方向一側に配されている雄螺子７の頭部を隠蔽する。次に複数のランプ３がシャーシＡ内に挿入され、ランプ３夫々の両端の電極がインバータ回路基板５，５の端子５２，５２に直接接続された後、ランプホルダ４，４がシャーシＡ内に挿入され、該ランプホルダ４，４の凹部４１がランプ３夫々の両端部を保持し、また、インバータ回路基板５，５の幅方向他側に配されている雄螺子７の頭部をランプホルダ４，４が隠蔽する。この際、インバータ回路基板５，５の高さが比較的高い電子部品５１はランプ３間に並置される。
【００２６】
以上のように本発明に係る光源装置にあっては、インバータ回路基板５，５が蓋板２の貫通孔２１，２１を閉塞し、インバータ回路基板５，５がシャーシＡの蓋板２の一部を兼ねており、上記安全規格の規定以外の構成になっているため、インバータ回路基板５，５の板厚方向に強化絶縁距離用の空間を設ける必要がなく、光源装置の厚さを短縮することができる。また、インバータ回路基板５，５が取付けられる取付片２２，２２は蓋板２の内面より貫通孔２１，２１が貫通する方向へ外向きに偏倚しているため、シャーシ内部におけるインバータ回路基板５，５周りの段差を低減でき、シャーシＡの内側に配する反射シート６に皺が生ずるのを防ぐことができる。また、インバータ回路基板５，５の内面に実装されている電子部品の比較的高さが高い電子部品５１がシャーシＡ内のランプ３間に配されているため、比較的高さが高い電子部品５１に制約されることなく、厚さを短縮することができる。また、インバータ回路基板５，５の内面に実装されている端子５２に、ランプ３の電極が直接接続されているため、ランプ３のインバータ回路基板５，５との接続系統を簡素にでき、組立作業性を向上できる。
【００２７】
尚、以上説明した実施の形態ではインバータ回路基板５，５が取付けられる箇所に貫通孔２１，２１を設け、該貫通孔２１，２１をインバータ回路基板５，５が閉塞する構成としたが、その他、前記制御回路基板、処理回路基板、電圧回路基板等の回路基板が並置される箇所に貫通孔を設け、該貫通孔を前記回路基板が閉塞する構成としてもよい。この場合、貫通孔２１，２１は蓋板２の長手方向中央側に設けられる。
【００２８】
また、以上説明した実施の形態では、蓋板２の一部に貫通孔２１，２１を設け、該貫通孔２１，２１をインバータ回路基板５，５が閉塞する構成としたが、その他、貫通孔２１は蓋板２の全体を貫通、換言するとシャーシＡの周縁部を構成する枠部１を除く箇所を貫通するように設け、該貫通孔２１をインバータ回路基板５，５及び制御回路基板等の回路基板が閉塞する構成としてもよい。
【００２９】
また、以上説明した実施の形態のシャーシＡは、枠部１と蓋板２とが一体に成形されているが、その他、枠部１と別個に形成された蓋板２が枠部１に結合されている構成としてもよい。
【図面の簡単な説明】
【００３０】
【図１】表示装置に組込まれている本発明に係る光源装置の構成を示す部分断面図である。
【図２】本発明に係る光源装置の構成を示す分解斜視図である。
【図３】従来の表示装置に組込まれている光源装置の構成を示す部分断面図である。
【符号の説明】
【００３１】
Ａ    シャーシ
１    枠部
２    蓋板
２１  貫通孔
２２  取付片
３    ランプ
５    インバータ回路基板（回路基板）
５１  高さが高い電子部品
５２  端子
６    反射シート
【図１】
0004794517.tif 000002
【図２】
0004794517.tif 000003
【図３】
0004794517.tif 000004